(57)【要約】【課題】従来より低コストで強度の高いレンズ駆動装置を提供する。【解決手段】このレンズ駆動装置には、回転可能なカム環と、カム環の回転に基づいて当該カム環に対して前後方向に直進するように規制された第１レンズ保持枠と、カム環の回転により前後方向に繰り出し若しくは繰り込まれるレンズ群と、第１レンズ保持枠の後部に形成された第１ヘリコイドネジと、カム環の前部に形成され、第１ヘリコイドネジと噛み合う第２ヘリコイドネジとが備えられている。カム環の回転に基づいて第１レンズ保持枠が前方に直進し所定の状態になると、第１ヘリコイドネジは第２ヘリコイドネジとの噛み合いを外して、第１レンズ保持枠を所定位置で空転させることを特徴としている。【選択図】図３
2008262243.tif 000002
【特許請求の範囲】
【請求項１】
回転可能なカム環と、
前記カム環の回転に基づいて当該カム環に対して前後方向に直進するように規制された第１レンズ保持枠と、
前記カム環の回転により前後方向に繰り出し若しくは繰り込まれるレンズ群と、
前記第１レンズ保持枠の後部に形成された第１ヘリコイドネジと、
前記カム環の前部に形成され、前記第１ヘリコイドネジと噛み合う第２ヘリコイドネジとを備え、
前記カム環の回転に基づいて前記第１レンズ保持枠が前方に直進し所定の状態になると、前記第１ヘリコイドネジは前記第２ヘリコイドネジとの噛み合いを外して、前記第１レンズ保持枠を所定位置で空転させることを特徴とするレンズ駆動装置。
【請求項２】
請求項１記載のレンズ駆動装置において、
前記カム環の外周面に形成され、駆動ギアと噛み合うギア部とを備えることを特徴とするレンズ駆動装置。
【請求項３】
請求項１又は２記載のレンズ駆動装置において、
前記レンズ群は、前記カム環により、相対移動する第１レンズ群及び第２レンズ群を少なくとも備え、
前記第１レンズ群に対する前記第２レンズ群の相対移動によって変倍を行うことを特徴とするレンズ駆動装置。
【発明の詳細な説明】
【技術分野】
【０００１】
本発明は、レンズの繰り出しや収納、および変倍を行う、レンズ駆動装置に関する。
【背景技術】
【０００２】
従来より、前後二つのレンズ群を内蔵し、該レンズ群を前後方向に駆動しながら、変倍や焦点調節を行うレンズ駆動装置が知られている（例えば特許文献１参照）。このような、レンズ駆動装置では、落下などの衝撃によって破損することを防ぐために、前群レンズを強度の高いヘリコイド構造で、後群レンズをカム構造によって駆動する方法が提案されている。
【特許文献１】特開平８−２１９４８号公報
【発明の開示】
【発明が解決しようとする課題】
【０００３】
こういったレンズ駆動装置では、収納位置からワイド状態、さらにテレ状態までレンズを繰り出す間、前群レンズはヘリコイド構造によって、一律に前進するようになっている。従って、このようなレンズ駆動装置では、後群レンズのみを駆動させて変倍を行う構造をとることができず、設計上の制約があった。
【０００４】
また、後群レンズのカム構造は、レンズ枠に設けられたコマを、カム環のカム溝に係合させた構造が一般的である。しかし、このようなカム構造は、コマに荷重が集中し、衝撃に比較的弱かった。
さらに、従来のカム環では、精度を必要としないレンズの繰り出し・収納に使われる部分も含めて、カム溝全体に、変倍用を基準とした高精度な加工が施されており、製造コストと加工時間に無駄が生じていた。
【０００５】
本発明の課題は、後方のレンズ群のみ駆動して変倍を行うことが可能であって、従来より低コストで強度の高いレンズ駆動装置を提供することである。
【課題を解決するための手段】
【０００６】
以上の課題を解決するため、請求項１記載の発明に係るレンズ駆動装置は、例えば図１〜３に示すように、
回転可能なカム環（３）と、
前記カム環の回転に基づいて当該カム環に対して前後方向に直進するように規制された第１レンズ保持枠（４）と、
前記カム環の回転により前後方向に繰り出し若しくは繰り込まれるレンズ群（３０，３１）と、
前記第１レンズ保持枠の後部に形成された第１ヘリコイドネジ（４０）と、
前記カム環の前部に形成され、前記第１ヘリコイドネジと噛み合う第２ヘリコイドネジ（１０）とを備え、
前記カム環の回転に基づいて前記第１レンズ保持枠が前方に直進し所定の状態になると、前記第１ヘリコイドネジは前記第２ヘリコイドネジとの噛み合いを外して、前記第１レンズ保持枠を所定位置で空転させることを特徴としている。
【０００７】
請求項２記載の発明は、請求項１記載のレンズ駆動装置において、
前記カム環の外周面に形成され、駆動ギアと噛み合うギア部とを備えることを特徴としている。
【０００８】
請求項３記載の発明は、請求項１又は２記載のレンズ駆動装置において、
前記レンズ群は、前記カム環により、相対移動する第１レンズ群及び第２レンズ群を少なくとも備え、
前記第１レンズ群に対する前記第２レンズ群の相対移動によって変倍を行うことを特徴としている。
【発明の効果】
【０００９】
本発明によれば、第１レンズ保持枠を空転させながら、レンズ群を繰り出すことができる。
【発明を実施するための最良の形態】
【００１０】
以下、図を参照して本発明の実施の形態を説明する。
図１は、本発明の一例としてのレンズ駆動装置１を示す断面図であり、図２はレンズ駆動装置１の分解斜視図である。また図３は、図１および図２におけるカム環３の内周面を示す展開図である。
【００１１】
まず、レンズ駆動装置１の構成を説明する。
図１および図２に示すように、レンズ駆動装置１は、主に第１レンズ群３０と、第１レンズ保持枠４と、第２レンズ群３１と、第２レンズ保持枠６と、キー環５と、カム環３と、カバー部材２と、押え部材７とから構成されている。
ここで、第１レンズ群３０側を前方、第２レンズ群３１側を後方とする。
【００１２】
第２レンズ保持枠６は、内側に第２レンズ群３１を保持するものである。第２レンズ保持枠６の外周面には、前後方向に貫通する貫通孔６ｃが形成された孔部材６ｂが設けられている。この貫通孔６ｃには、前後方向に長く形成されたガイド軸６ａが挿通している。孔部材６ｂには、外方に向けて突出する二つのコマ２０ａ，２０ｂが、前後方向に並ぶよう設けられている。
なお、符号９は、シャッターを駆動するシャッター駆動部である。
【００１３】
押え部材７は、第２レンズ保持枠６の後方に設けられているリング状の平板で、前面には、ガイド軸６ａの後端部が嵌合し固定される第１固定部７ａが設けられている。
【００１４】
キー環５は、第２レンズ保持枠６の外側に取り付けられており、前後方向に長孔５ｂが形成され、第２レンズ保持枠６のコマ２０ａ、２０ｂは、この長孔５ｂを貫通して外側に突出するようになっている。そして、キー環５の内側前部には、環状に張り出し、ガイド軸６ａの前端部が嵌合する第２固定部５ｃが設けられている。また、キー環５の後端部には、外側方向に張り出す張り出し面５ｄが設けられており、この張り出し面５ｄの後面と押え部材７が接した状態で組み付けられている。
キー環５の外周面には、前後方向に延びる直進溝５ａが設けられている。
【００１５】
第１レンズ保持枠４は、キー環５の外側に設けられており、内側の前部に第１レンズ群３０を保持している。また、第１レンズ保持枠４の内周面の後端部には、キー環５の直進溝５ａと係合するボス（突起）４ａが設けられており、このボス４ａにより第１レンズ保持枠４は前後方向に直進するよう規制されている。
また、第１レンズ保持枠４の外周面の後部には、第１ヘリコイドネジ４０が施されている。この第１ヘリコイドネジ４０については後述する。
【００１６】
第１レンズ保持枠４と、第２レンズ保持枠６との間には、バネ５０，５０が設けられている。第１レンズ保持枠４と第２レンズ保持枠６は、バネ５０，５０によって、互いに離れる方向に付勢されている。
【００１７】
カム環３は、第１レンズ保持枠４の外側に取り付けられ、内周面の前部には、第１レンズ保持枠４の外周面の第１ヘリコイドネジ４０と噛み合う、第２ヘリコイドネジ１０が設けられている。また、カム環３の前端部１３は、内側に周方向に沿って突出し、第１レンズ保持枠４が外れないよう規制している。
【００１８】
また、カム環３の内周面後部には、第２レンズ保持枠６の前方のコマ２０ａと係合する第１カム２１と、第２レンズ保持枠６の後方のコマ２０ｂと係合する第２カム２２とが施されている。
第１カム２１は、変倍用に高精度に加工された前方側の変倍用カム溝２１ａと、コマ２０ａの動きを妨げない程度に幅を持たせ、比較的ラフに形成された後方側の逃し２１ｂとからなる。第２カム２２は、コマ２０ｂの動きを妨げない程度に幅を持たせ、比較的ラフに形成された前方側の逃し２２ｂと、繰り出し・収納用に、変倍用カム溝２１ｂよりは精度を落として加工された、後方側の収納用カム溝２２ａとからなる。
さらに、カム環３の外周面の後端部付近には、レンズ駆動装置１が取付けられるカメラ等の駆動ギアと噛み合う、ギア部３ａが設けられている。
【００１９】
カバー部材２は、カム環３の外側に取り付けられ、後端面は押え部材７の前面に接するように固定されている。カバー部材２の前端部２ａは、内側方向に張り出すように形成されており、カム環３の前端部と当接して、カム環３の前方向への動きを阻止している。
また、カバー部材２の後端部付近には、矩形状の開口２ｂが施されており、カメラ等の前記駆動ギアと、カバー部材２の内側にあるカム環３のギア部３ａとが、この開口２ｂを介して噛み合うようになっている。
【００２０】
第１レンズ保持枠４の第１ヘリコイドネジ４０と、カム環３の第２ヘリコイドネジ１０との係合状態を、図３（ａ）および図３（ｂ）に示す。これらの図中において、第１ヘリコイドネジ４０を点線で示す。
第１ヘリコイドネジ４０には、一部ヘリコイドの形成されていない、非ヘリコイド部４０ｃが設けられている。
第２ヘリコイドネジ１０の大部分は、図３に示すように、カム環３の前端部１３まで達していない。しかし、第２ヘリコイドネジ１０の一箇所のみ、カム環３の前端部１３まで達し、第１レンズ保持枠４がワイド状態の位置から収納されるときに、第１ヘリコイドネジ４０が係合する係合部１２となっている。
【００２１】
係合部１２と、第２ヘリコイドネジ１０を構成するヘリコイド１１ａ、１１ｂをつなぐように、凸部１４が形成されている。
レンズが収納状態にあるとき、第１ヘリコイドネジ４０は、図３（ａ）に示すように、第２ヘリコイドネジ１０の後端部付近で螺合している。この時、第１ヘリコイドネジ４０の非ヘリコイド部４０ｃは、ヘリコイド１１ａ、１１ｂ、係合部１２に対応している。
【００２２】
図３（ａ）で示す収納状態から第１レンズ保持枠４が繰り出されると、第１ヘリコイドネジ４０は第２ヘリコイドネジ１０に対して、図３（ｂ）のＡの位置にくる。第１レンズ保持枠４がワイド（最小倍率）状態まで繰り出されると、第１ヘリコイドネジ４０は図３（ｂ）のＢの位置に達し、第２ヘリコイドネジ１０との噛み合いが外れる。このとき、非ヘリコイド部４０ｃは、斜線で示す位置にある。
このワイド状態からさらにカム環３が回転すると、第２レンズ保持枠６のみがカム構造を介して前進し、変倍を行う。この間、第１ヘリコイドネジ４０と第２ヘリコイドネジ１０とは噛み合っていないことから、第１レンズ保持枠４はカム環３に対して空転する。第１レンズ群３０と第２レンズ群３１とがテレ（最大倍率）状態になった時、非ヘリコイド部４０ｃは、図３（ｂ）において網目で示す位置にくるようになっている。
【００２３】
次に、レンズ駆動装置１の動作を説明する。
【００２４】
収納状態にあるレンズ駆動装置１に、図示しないモーターからの駆動力がカム環３のギア部３ａに伝達されると、カム環３が、図３（ａ）において右方向に回転する。これに伴い、カム環３に対して第１ヘリコイドネジ４０を介して螺合している第１レンズ保持枠４は、キー環５の直進溝５ａに係合するボス４ａによって規制されながら、前方に直進する。同時に、カム環３の収納用カム溝２２ａにコマ２０ｂが係合する第２レンズ保持枠６は、ガイド軸６ａにガイドされて前方に直進する。
【００２５】
第１レンズ群３０と第２レンズ群３１とがワイド状態まで繰り出されると、第１レンズ保持枠４の第１ヘリコイドネジ４０とカム環３の第２ヘリコイドネジ１０との噛み合いは外れる。
また、このワイド状態において、第２レンズ保持枠６の後方のコマ２０ｂは、係合していた第２カム２２の収納用カム溝２２ａから逃し２２ｂに移行する。一方、それまで第１カム２１の逃し２１ｂ内で移動していた前方のコマ２０ａは、変倍用カム溝２１ａに係合する。
【００２６】
ワイド状態に達した後、さらにカム環３が回転すると、第１レンズ保持枠４は空転して、第１レンズ群３０の繰り出しは停止する。第２レンズ群３１は、前方のコマ２０ａと係合する変倍用カム溝２１ａの案内によって、前方に繰り出される。この時、前述のように第１レンズ群３０の繰り出しは停止しているので、第２レンズ群３１のみが前方に繰り出され、最終的には前述のテレ状態（図３（ｂ））となる。
【００２７】
テレ状態からワイド状態に戻り、さらにレンズ群が収納される動作においては、カム環３は、繰り出し時とは逆方向（図３（ｂ）において左方向）に回転する。
この回転により、第２レンズ保持枠６は、変倍用カム溝２１ａの案内で繰り込まれ、ワイド状態に達すると、コマ２０ａが変倍用カム溝２１ａから逃し２１ｂに移行し、コマ２０ｂが逃し２２ｂから収納用カム溝２２ａに移行して係合する。
また、ワイド状態になると、それまで空転していた第１ヘリコイドネジ４０のヘリコイド４０ａは、第２ヘリコイドネジ１０の係合部１２に当接して、第１ヘリコイドネジ４０と第２ヘリコイドネジ１０とが噛み合う。
その後、さらにカム環３が回転すると、第１レンズ保持枠４と、第２レンズ保持枠６とは、収納位置まで繰り込まれる。
【００２８】
以上のレンズ駆動装置１によれば、第１ヘリコイドネジ４０と第２ヘリコイドネジ１０との噛み合いは、第１レンズ群３０と第２レンズ群３１とがワイド状態に繰り出したところで外れるので、第１レンズ群３０の繰り出しをワイド状態の位置で停止させることができる。そして、ワイド状態からテレ状態までは、カム構造によって第２レンズ群３１のみを前方に繰り出すことができるため、第２レンズ群３１のみを駆動させて変倍を行うことができる。
従って、第１レンズ群３０をヘリコイドネジで駆動しながら、第２レンズ群３１のみを駆動させて変倍を行う構造をとることが可能となり、設計の自由度を高めることができる。また、設計の自由度の向上により、カム環を短くするなどの効果も期待できる。
【００２９】
さらに、カム構造で駆動させる第２レンズ保持枠６にはガイド軸６ａが設けられ、第２レンズ保持枠６はこのガイド軸６ａに沿って移動するため、衝撃により強い構造となる。
また、カム構造において、高精度の加工が必要な変倍用カム溝２１ａと、高精度の加工を必要としない収納用カム溝２２ａとを別に設けることで、高精度の加工を施す部分を短くでき、コスト削減と加工時間の短縮を図ることができる。
【００３０】
なお、本発明は、上記実施の形態に限定されることはない。
例えば焦点調節に関しては、レンズ駆動装置そのものに駆動源を設けても、ま収納・変倍用と同一モーターで駆動してもよく、種々の変形が可能である。
【図面の簡単な説明】
【００３１】
【図１】本発明を適用したレンズ駆動装置の断面図であり、第１レンズ群および第２レンズ群を通る中心より上側は、キー環の直進溝を通る断面であり、下側は、第２レンズ保持枠のコマおよびガイド軸を通る断面である。
【図２】レンズ駆動装置の分解斜視図である。
【図３】カム環の内周面を示す展開図であって、（ａ）は収納時の第１ヘリコイドネジと第２ヘリコイドネジとの噛み合いを示し、（ｂ）はワイド状態からテレ状態において噛み合いが外れる様子を示す。
【符号の説明】
【００３２】
１    レンズ駆動装置
２    カバー部材
３    カム環
３ａ  ギア部
４    第１レンズ保持枠
４ａ  ボス（突起）
５    キー環
５ａ  直進溝
５ｂ  長孔
５ｃ  第２固定部
６    第２レンズ保持枠
６ａ  ガイド軸
６ｂ  孔部材
７    押え部材
７ａ 第１固定部
１０  第２ヘリコイドネジ
１２  係合部
２０ａ、２０ｂ  コマ
２１  第１カム（カム溝）
２１ａ  変倍用カム溝（変倍用のカム溝）
２２  第２カム（カム溝）
２２ａ  収納用カム溝（繰り出し・収納用のカム溝）
２１ｂ、２２ｂ  逃し
３０  第１レンズ群
３１  第２レンズ群
４０  第１ヘリコイドネジ
４０ｃ  非ヘリコイド部  
【図１】
2008262243.tif 000003
【図２】
2008262243.tif 000004
【図３】
2008262243.tif 000005